(57)【要約】【課題】本発明は、既存の会員証に記録された情報を読み出して、書き換え可能な印字領域を備えた新たな会員証に、読み出した情報を書き込むことのできるリーダ・ライタを提供することを目的とする。【解決手段】リライトシートを備えていない会員証がリーダ・ライタに挿入されたとき、会員証の切換発行を行うことを認識し、この会員証に記録された個人情報をメモリ内に一時的に記憶する。その後、新たなリライトシートを備えた会員証を挿入して、メモリに記憶した個人情報を記録した後、リライトシートの印字内容を初期化する。【選択図】　　　図５
2004038488.tif 000002
【特許請求の範囲】
【請求項１】
書き換え不可能な個人情報及び書き換え可能な切換情報を記録する第１記録部と書き換え可能な印字領域とを備えた第１会員証が挿入される挿入口と、前記第１記録部の書き込み・読み出しを行う記録部用ヘッドと、前記印字領域の印字内容を書き換えるシート用ヘッドと、前記会員証の搬送を行う搬送部と、前記記録部用ヘッドで読み出されたデータを記録するメモリと、を備えるリーダ・ライタにおいて、
書き換え不可能な個人情報を記録する第２記録部のみを備えた第２会員証が前記挿入口より挿入されたとき、
前記記録部用ヘッドより読み出した前記第２記録部に記録された前記個人情報を前記メモリに記憶して、前記第２会員証を前記挿入口から排出した後、
新しい前記第１会員証が前記挿入口から挿入されて、
前記シート用ヘッドによって、前記印字領域の印字内容を初期化するとともに、
前記記録部用ヘッドによって、前記メモリに記憶した前記第２記録部内の個人情報を前記第１記録部に記録することを特徴とするリーダ・ライタ。
【請求項２】
前記印字領域において、印字内容の更新毎に書き換えが行われる書換可能領域と、常に同一の印字内容であるとともに書き換え必要時のみに書き換えが行われる書換不可領域とが備えられ、
前記第２会員証が前記挿入口から挿入されて、印字内容の変更を行う際、
前記書換不可領域の書き換えが必要とされるとき以外は、前記シート用ヘッドによって、前記書換可能領域の印字内容のみが消去された後に、変更後の印字内容が印字され、
又、前記書換不可領域の書き換えが必要とされるときは、前記シート用ヘッドによって、前記印字領域全領域の印字内容が消去された後に、前記書換可能領域に変更後の印字内容が印字されるとともに、前記書換不可領域に消去前と同一の印字内容が印字されることを特徴とする請求項１に記載のリーダ・ライタ。
【請求項３】
前記印字領域の印字内容を初期化するとき、又は、前記書換不可領域の書き換えが必要とされるとき、
前記書換不可領域に、前記個人情報に含まれる会員ＩＤに基づく印字内容を印字することを特徴とする請求項２に記載のリーダ・ライタ。
【請求項４】
前記会員ＩＤに基づく印字内容が、バーコードであることを特徴とする請求項３に記載のリーダ・ライタ。
【請求項５】
前記会員ＩＤに基づく印字内容が、番号であることを特徴とする請求項３又は請求項４に記載のリーダ・ライタ。
【請求項６】
前記記録部用ヘッドによって読み出されたデータが前記書き換え不可能な個人情報のみであることにより、前記挿入口より挿入された会員証が前記第２会員証であると判断することを特徴とする請求項１〜請求項５のいずれかに記載のリーダ・ライタ。
【請求項７】
書き換え不可能な個人情報及び書き換え可能な切換情報を記録する第１記録部と書き換え可能な印字領域とを備えた第１会員証が挿入される挿入口と、前記第１記録部の書き込み・読み出しを行う記録部用ヘッドと、前記印字領域の印字内容を書き換えるシート用ヘッドと、前記会員証の搬送を行う搬送部と、前記記録部用ヘッドで読み出されたデータを記録するメモリと、を備えるリーダ・ライタを使用するとともに、
書き換え不可能な個人情報を記録する第２記録部のみを備えた第２会員証を前記挿入口より挿入する第１ステップと、
前記記録部用ヘッドより読み出した前記第２記録部に記録された前記個人情報を前記メモリに記憶して、前記第２会員証を前記挿入口から排出する第２ステップと、
新しい前記第１会員証を前記挿入口から挿入する第３ステップと、
前記シート用ヘッドによって、前記印字領域の印字内容を初期化する第４ステップと、
前記記録部用ヘッドによって、前記メモリに記憶した前記第２記録部内の個人情報を前記第１記録部に記録する第５ステップと、
を備えることを特徴とする会員証切換発行方法。
【請求項８】
前記印字領域において、印字内容の更新毎に書き換えが行われる書換可能領域と、常に同一の印字内容であるとともに書き換え必要時のみに書き換えが行われる書換不可領域とが備えられ、
前記第４ステップにおいて、前記書換不可領域に、前記個人情報に含まれる会員ＩＤに基づく印字内容を印字することを特徴とする請求項７に記載の会員証切換発行方法。
【請求項９】
前記会員ＩＤに基づく印字内容が、バーコードであることを特徴とする請求項８に記載の会員証切換発行方法。
【請求項１０】
前記会員ＩＤに基づく印字内容が、番号であることを特徴とする請求項８又は請求項９に記載の会員証切換発行方法。
【請求項１１】
前記第２ステップにおいて、前記記録部用ヘッドによって読み出されたデータが前記書き換え不可能な個人情報のみであることにより、前記挿入口より挿入された会員証が前記第２会員証であると判断することを特徴とする請求項５〜請求項１０のいずれかに記載の会員証切換発行方法。
【請求項１２】
会員照会用の会員ＩＤを含む書き換え不可能な個人情報と利用時の各種情報を含む書き換え可能な切換情報とを記録する記録部と、前記切換情報に基づく内容が印字される書き換え可能な印字領域とを備えた会員証において、
前記印字領域において、書き換え禁止とされる前記会員ＩＤに基づくバーコードが印字されることを特徴とする会員証。
【発明の詳細な説明】
【０００１】
【発明の属する技術分野】
本発明は、会員照会や累計ポイント確認などを行うための磁気カードやＩＣカードなどによる会員証のリーダ・ライタ及び当該リーダ・ライタを用いた会員証切換発行方法に関するもので、特に、会員証の書き換えを行うことのできるリーダ・ライタ及び当該リーダ・ライタを用いた会員証切換発行方法に関する。
【０００２】
【従来の技術】
従来より、各種店舗などを含むサービス提供者が、特定の顧客に特典を与えるための会員制度を採用し、この会員制度に加入した顧客に対して、会員照会を行うための会員番号などのＩＤを記入した会員証が配布されている。このような会員証において、その表面にＩＤが表示されるとともに、ＩＤを磁気データや電子データとして記録する磁気カードやＩＣカードが利用されている。又、会員証の表面に表示されるＩＤは、ＩＤそのものである場合や、バーコード表示される場合がある。
【０００３】
このように磁気カードやＩＣカードで構成された会員証は、磁気ヘッダや無線通信部を備えたリーダによって、会員証内に記録された磁気データや電子データが読み出されて、所有者のＩＤを確認し、会員照会を行う。又、会員証表面にバーコード表示がなされているときは、赤外線のバーコードリーダによってバーコードを読み、会員照会を行う。更に、ＩＤそのものが会員証表面に表示されているときは、リーダを操作して、ＩＤを構成する数字を入力することで、会員照会を行う。
【０００４】
又、このような会員証においては、ポイントカードのように、会員が支払った金額などに応じたポイントを会員に与える際、その累計ポイントを記録する機能を備えたものも使用されている。この会員証は、ロイコ系感熱発色材料などの可逆性を有する感熱素材が塗布されたシートや、磁気粉が充填された微小なカプセルが封入されたシートや、有機低分子物質が分散した樹脂を溶剤中に溶解した溶液が塗布されたシートなど（これらのシートを総称して、以下、「リライトシートと呼ぶ）が、その表面に貼られて、このリライトシートにポイントなどが印字される。
【０００５】
このリライトシートを備えた会員証は、リライトシート上に印字された文字の書き換えが可能であるため、会員が利用して得られたポイントを加算した累計ポイントが書き換えられる。又、この会員証には、前回までの累計ポイントを確認するために、磁気カードやＩＣカードなどのように、磁気データや電子データを記録することのできる磁気ストライプやＩＣチップを備える。
【０００６】
このようにリライトシートを備えた会員証は、印字ヘッダ及び消去ヘッダを備えたリーダ・ライタによって、リライトシートの印字内容が書き換えられる。このとき、リーダ・ライタに備えられた磁気ヘッダ又は無線通信部によって、磁気ストライプやＩＣチップなどに記録された磁気データ及び電子データを、リライトシートの印字内容に応じた新しいデータに更新する。
【０００７】
【発明が解決しようとする課題】
【０００８】
上述のように、リライトシート及び磁気ストライプ又はＩＣチップを備えた会員証は、磁気カードやＩＣカードによる従来の会員証よりも機能性に優れている。よって、このリライトシートを備えた会員証の需要が高まりつつある。このような需要に応じて、サービス提供者は、既に会員となっている顧客が所有している既存の磁気カードやＩＣカードによる会員証を、リライトシートを備えた会員証に変更する必要がある。
【０００９】
しかしながら、このような既存の会員証を新たな会員証に変更する場合、会員である顧客が、既存の会員証内に記録された各種個人情報を所定の用紙へ記入した後、この所定の用紙に記入された各種個人情報を磁気データ又は電子データとして、新たな会員証の磁気ストライプやＩＣチップに記録させる必要がある。このように、新たな会員証に切り換えるには、顧客及びサービス提供者ともに、煩雑な手続を踏む必要がある。
【００１０】
このような問題を鑑みて、本発明は、既存の会員証に記録された情報を読み出して、書き換え可能な印字領域を備えた新たな会員証に、読み出した情報を書き込むことのできるリーダ・ライタを提供することを目的とする。又、このリーダ・ライタを利用して、煩雑な手続を踏むことなく、新たな会員証へ切り換えることができる会員証切換発行方法を提供することを目的とする。
【００１１】
【課題を解決するための手段】
上記目的を達成するために、請求項１に記載のリーダ・ライタは、書き換え不可能な個人情報及び書き換え可能な切換情報を記録する第１記録部と書き換え可能な印字領域とを備えた第１会員証が挿入される挿入口と、前記第１記録部の書き込み・読み出しを行う記録部用ヘッドと、前記印字領域の印字内容を書き換えるシート用ヘッドと、前記会員証の搬送を行う搬送部と、前記記録部用ヘッドで読み出されたデータを記録するメモリと、を備えるリーダ・ライタにおいて、書き換え不可能な個人情報を記録する第２記録部のみを備えた第２会員証が前記挿入口より挿入されたとき、前記記録部用ヘッドより読み出した前記第２記録部に記録された前記個人情報を前記メモリに記憶して、前記第２会員証を前記挿入口から排出した後、新しい前記第１会員証が前記挿入口から挿入されて、前記シート用ヘッドによって、前記印字領域の印字内容を初期化するとともに、前記記録部用ヘッドによって、前記メモリに記憶した前記第２記録部内の個人情報を前記第１記録部に記録することを特徴とする。
【００１２】
このような構成によると、第１会員証が挿入口より挿入されたとき、従来と同様、シート用ヘッドによって、印字領域（リライトシートに相当する）の印字内容を更新するとともに、記録部用ヘッドによって、第１記録部に記録された切換情報を更新する。又、第２会員証が挿入口より挿入されると、記録用ヘッドによって第２記録部から個人情報が読み出されてメモリに一時記録した後、第２会員証を排出して、第１会員証が挿入され、第１記録部にメモリに一時記録した第２記録部から読み出した個人情報を記録するとともに、印字領域の印字内容を初期化する。このようにして、第２会員証が挿入されたときは、第１会員証への切換発行動作を行う。尚、印字領域が感熱発色材料より成るとき、シート用ヘッドが、印字内容を消去する消去ヘッド及び印字を行う印字ヘッドより成る。
【００１３】
又、請求項２に記載するように、前記印字領域において、印字内容の更新毎に書き換えが行われる書換可能領域と、常に同一の印字内容であるとともに書き換え必要時のみに書き換えが行われる書換不可領域とが備えられ、前記第２会員証が前記挿入口から挿入されて、印字内容の変更を行う際、前記書換不可領域の書き換えが必要とされるとき以外は、前記シート用ヘッドによって、前記書換可能領域の印字内容のみが消去された後に、変更後の印字内容が印字され、又、前記書換不可領域の書き換えが必要とされるときは、前記シート用ヘッドによって、前記印字領域全領域の印字内容が消去された後に、前記書換可能領域に変更後の印字内容が印字されるとともに、前記書換不可領域に消去前と同一の印字内容が印字されるようにしても構わない。
【００１４】
このとき、更に、請求項３に記載するように、前記印字領域の印字内容を初期化するとき、又は、前記書換不可領域の書き換えが必要とされるとき、前記書換不可領域に、前記個人情報に含まれる会員ＩＤに基づく印字内容を印字するようにしても構わない。このようにすることで、印字領域上に印字された会員ＩＤに基づく印字内容を利用して会員ＩＤを認識させることができる。そして、前記会員ＩＤに基づく印字内容を、請求項４に記載するように、バーコードとしても構わないし、請求項５に記載するように、番号としても構わない。
【００１５】
又、請求項６に記載するように、前記記録部用ヘッドによって読み出されたデータが前記書き換え不可能な個人情報のみであることにより、前記挿入口より挿入された会員証が前記第２会員証であると判断するようにして、自動的に、会員証切換発行動作を行うことを判断して動作するようにしても構わない。
【００１６】
更に、リーダ・ライタに挿入された回数を切換情報の一つとして第１会員証の第１記録部に記録し、この挿入回数が所定値を越えたとき、書換不可領域の書き換えが必要と判断し、書換不可領域の印字内容の書き換えを行うようにしても構わない。
【００１７】
又、請求項７に記載の会員証切換発行方法は、書き換え不可能な個人情報及び書き換え可能な切換情報を記録する第１記録部と書き換え可能な印字領域とを備えた第１会員証が挿入される挿入口と、前記第１記録部の書き込み・読み出しを行う記録部用ヘッドと、前記印字領域の印字内容を書き換えるシート用ヘッドと、前記会員証の搬送を行う搬送部と、前記記録部用ヘッドで読み出されたデータを記録するメモリと、を備えるリーダ・ライタを使用するとともに、書き換え不可能な個人情報を記録する第２記録部のみを備えた第２会員証を前記挿入口より挿入する第１ステップと、前記記録部用ヘッドより読み出した前記第２記録部に記録された前記個人情報を前記メモリに記憶して、前記第２会員証を前記挿入口から排出する第２ステップと、新しい前記第１会員証を前記挿入口から挿入する第３ステップと、前記シート用ヘッドによって、前記印字領域の印字内容を初期化する第４ステップと、前記記録部用ヘッドによって、前記メモリに記憶した前記第２記録部内の個人情報を前記第１記録部に記録する第５ステップと、を備えることを特徴とする。
【００１８】
このとき、請求項８に記載するように、前記印字領域において、印字内容の更新毎に書き換えが行われる書換可能領域と、常に同一の印字内容であるとともに書き換え必要時のみに書き換えが行われる書換不可領域とが備えられ、前記第４ステップにおいて、前記書換不可領域に、前記個人情報に含まれる会員ＩＤに基づく印字内容を印字するようにしても構わない。更に、前記会員ＩＤに基づく印字内容を、請求項９に記載するように、バーコードとしても構わないし、請求項１０に記載するように、番号としても構わない。
【００１９】
又、請求項１１に記載するように、前記第２ステップにおいて、前記記録部用ヘッドによって読み出されたデータが前記書き換え不可能な個人情報のみであることにより、前記挿入口より挿入された会員証が前記第２会員証であると判断するようにしても構わない。
【００２０】
又、請求項１２に記載の会員証は、会員照会用の会員ＩＤを含む書き換え不可能な個人情報と利用時の各種情報を含む書き換え可能な切換情報とを記録する記録部と、前記切換情報に基づく内容が印字される書き換え可能な印字領域とを備えた会員証において、前記印字領域において、書き換え禁止とされる前記会員ＩＤに基づくバーコードが印字されることを特徴とし、上述の会員証切換発行方法で切換発行された第１会員証に相当する。このような会員証において、バーコードの印字濃度が所定の濃度に低下すると、書き換え許可を行うようにしても構わない。
【００２１】
【発明の実施の形態】
本発明の実施形態について、図面を参照して説明する。図１は、本実施形態のリーダ・ライタの内部構成を示すブロック図である。尚、本実施形態において、既存の会員証が、磁気ストライプを備えた磁気カードであるものとする。
【００２２】
図１に示すリーダ・ライタは、磁気データの読み出し及び書き込みを行う磁気ヘッド１と、リライトシートにおける印字内容を消去して白紙状態とする消去ヘッド２と、リライトシートへの印字を行う印字ヘッド３と、磁気ヘッド１及び消去ヘッド２及び印字ヘッド３上を通過するように会員証を搬送する搬送部４と、ポイント情報などを入力するための操作部５と、操作部５からの入力情報や磁気データの内容を表示する表示部６と、操作部５からの入力情報や磁気データの内容を一時的に記憶するメモリ７と、装置全体の制御を行う制御部８とを備える。
【００２３】
このリーダ・ライタにおいて、磁気ヘッド１及び消去ヘッド２及び印字ヘッド３は、図２のような位置関係となる。即ち、会員証が挿入される挿入口９に近いものから順に、磁気ヘッド１、消去ヘッド２、印字ヘッド３が設置されるとともに、会員証の表面側のリライトシートに接するように、挿入口９の上側に消去ヘッド２及び印字ヘッドが設置され、会員証の裏面側の磁気ストライプに接するように、挿入口９の下側に磁気ヘッド１が設置される。又、搬送部４は、不図示であるが、会員証を移動させるベルトと、このベルトを駆動させるためのモータと、会員証の位置を確認するための位置センサとを備える。
【００２４】
又、既存の会員証Ａは、その表面に、図３（ａ）のように、会員のＩＤを表すバーコード１０と番号１１とが表示されるとともに、その裏面に、図３（ｂ）のように、会員のＩＤを初めとする各種個人情報が磁気データとして記録される磁気ストライプ１２が設けられる。
【００２５】
更に、会員証Ａから新たに切換発行される会員証Ｂは、その表面に、図４（ａ）のように、書換可能なリライトシート２０が設けられるとともに、その裏面に、図４（ｂ）のように、会員のＩＤを初めとする各種個人情報が磁気データとして記録される磁気ストライプ２６ａと累計ポイントや最終利用年月日などの利用時に切り換えられる情報（以下、「切換情報」とする）を磁気データとして記録される磁気ストライプ２６ｂとを備える。
【００２６】
そして、この会員証Ｂの表面に設けられたリライトシート２０は、利用するたびに書き換えられる書換可能領域２０ａと、印字内容が読みにくくなったときなどの書き換えが必要となったときにのみ書き換えられる書換不可領域２０ｂとを備える。このリライトシート２０の書換可能領域２０ａには、会員証Ｂが最後に利用された日を表す最終年月日２１と、利用時に加算されるポイント数２２と、利用時のポイント数を加算した後の累計ポイント数２３とが印字される。又、リライトシート２０の書換不可領域２０ｂには、会員のＩＤを表すバーコード２４及び番号２５が印字される。
【００２７】
よって、図１の構成のリーダ・ライタにおいて、会員証Ｂに設けられたリライトシート２０が、ロイコ系感熱発色材料などの可逆性を有する感熱素材が塗布されたシートである場合、消去ヘッド２及び印字ヘッド３が所定の温度で発熱することによって、リライトシート２０の印字内容の消去及び印字を行うことができる。
【００２８】
以下に、図１の構成のリーダ・ライタの動作について、図５のフローチャートを参照して説明する。まず、会員証Ａ，Ｂのいずれかがリーダ・ライタの挿入口９に挿入されると（ＳＴＥＰ１）、会員証Ａ，Ｂは搬送部４によって磁気ヘッド１を通過するように搬送されて、会員証Ａの磁気ストライプ１２又は会員証Ｂの磁気ストライプ２６ａ，２６ｂに記録された磁気データが読み出される（ＳＴＥＰ２）。即ち、会員証Ａが挿入されたときは、磁気ストライプ１２に記録された個人情報が読み出され、又、会員証Ｂが挿入されたときは、磁気ストライプ２６ａ，２６ｂそれぞれに記録された個人情報及び切換情報が読み出される。
【００２９】
そして、読み出された磁気データが、メモリ７に記憶される（ＳＴＥＰ３）。このとき、表示部６には、磁気ストライプ１２又は磁気ストライプ２６ａの個人情報より確認されたＩＤ又は会員名などが表示される。その後、メモリ７に記録された磁気データに切換情報が含まれているか否かが制御部８によって確認される（ＳＴＥＰ４）。即ち、磁気ヘッド１上を磁気ストライプ２６ｂが通過したか否かが確認され、リーダ・ライタに挿入された会員証が、会員証Ａであるか会員証Ｂであるかが判断される。
【００３０】
そして、切換情報が含まれていることが確認されると（Ｙｅｓ）、磁気ストライプ２６ａ，２６ｂを備えた会員証Ｂが挿入されたことを認識されるため、表示部６に加算されるポイント数の入力を促す表示が成された後、操作部５が操作されることによって、ポイント数が入力される（ＳＴＥＰ５）。このとき、入力されたポイント数が表示部６に表示される。この入力されたポイント数を、メモリ７に格納された切換情報から確認された累計ポイント数に加算して、新たな累計ポイント数を生成して、入力されたポイント数とともにメモリ７に記憶する（ＳＴＥＰ６）。このとき、入力されたポイント数とともに加算して得られた累計ポイントが表示部６に表示される。
【００３１】
そして、操作部５による、リライトシート２０の書換不可領域２０ｂの書き換えが必要であるか否かの入力が成されたか否かが、制御部８によって確認される（ＳＴＥＰ７）。尚、書換不可領域２０ｂの書き換えに関する入力は、ポイント数を入力する前に又はポイント数の入力と同時に成されるようにし、この入力が成されたか否かをＳＴＥＰ７で判断するようにしても構わない。
【００３２】
その後、書換不可領域２０ｂの書き換えを所望する入力が確認されなかった場合（Ｎｏ）、搬送部４によって消去ヘッド２の上を会員証Ｂが通過するように搬送され、リライトシート２０の書換可能領域２０ａに印字された印字内容のみが消去される（ＳＴＥＰ８）。このとき、書換可能領域２０ａのみが消去ヘッド２を通過するようにしても構わないし、書換可能領域２０ａが通過するときのみ消去ヘッド２が動作するようにしても構わない。
【００３３】
このように消去ヘッドで印字内容が消去されると、制御部８で確認される現在の年月日とメモリ７から読み出された加算ポイント数及び累計ポイント数とが確認され、搬送部４によって印字ヘッド３の上を会員証Ｂが通過するように搬送され、リライトシート２０の書換可能領域２０ａに印字される（ＳＴＥＰ９）。このとき、書換可能領域２０ａのみが印字ヘッド２を通過するようにしても構わないし、書換可能領域２０ａが通過するときのみ印字ヘッド２が動作するようにしても構わない。このように、ＳＴＥＰ８及びＳＴＥＰ９の動作が行われることで、書換可能領域２０ａの最終利用年月日２１及びポイント数２２及び累計ポイント数２３が書き換えられる。
【００３４】
又、ＳＴＥＰ７において、書換不可領域２０ｂの書き換えを所望する入力が確認された場合（Ｙｅｓ）、搬送部４によって消去ヘッド２の上を会員証Ｂが通過するように搬送され、リライトシート２０全領域に印字された印字内容が消去される（ＳＴＥＰ１０）。即ち、このとき、書換可能領域２０ａに印字された印字内容のみならず、書換不可領域２０ｂに印字された印字内容も消去される。
【００３５】
このように消去ヘッドで印字内容が消去されると、制御部８で確認される現在の年月日とメモリ７から読み出された加算ポイント数及び累計ポイント数及びＩＤとが確認され、搬送部４によって印字ヘッド３の上を会員証Ｂが通過するように搬送され、リライトシート２０の全領域に印字される（ＳＴＥＰ１１）。このように、ＳＴＥＰ１０及びＳＴＥＰ１１の動作が行われることで、書換可能領域２０ａの最終利用年月日２１及びポイント数２２及び累計ポイント数２３と、書換不可領域２０ｂのバーコード２４及び番号２５とが書き換えられる。
【００３６】
そして、ＳＴＥＰ８及びＳＴＥＰ９の書換動作、又は、ＳＴＥＰ１０及びＳＴＥＰ１１の書換動作が行われると、搬送部４によって磁気ヘッド１の上を会員証Ｂが通過するように搬送され、磁気ストライプ２６ｂに記録された切換情報が書き換えられる（ＳＴＥＰ１２）。即ち、磁気ストライプ２６ｂに、制御部８で確認される現在の年月日とメモリ７から読み出された加算ポイント数及び累計ポイント数とによる新たな切換情報が書き込まれることによって、切換情報の更新が行われる。
【００３７】
ＳＴＥＰ４において、切換情報が含まれていないことが確認されると（Ｎｏ）、磁気ストライプ１２のみを備えた会員証Ａが挿入されたことが認識され、会員証Ｂへの切換発行を行う必要があることが確認されるため、会員証Ａを挿入口９より排出する（ＳＴＥＰ１３）。そして、新しい会員証Ｂの挿入を求める表示が表示部６に成されて、新しい会員証Ｂが挿入口９に挿入されると（ＳＴＥＰ１４）、まず、搬送部４によって磁気ヘッド１の上を会員証Ｂが通過するように搬送され、磁気ストライプ２６ａ，２６ｂの磁気データを読み取って、新しい会員証であるか確認する（ＳＴＥＰ１５）。
【００３８】
このとき、挿入口９から挿入された会員証が新しい会員証Ｂでない場合（Ｎｏ）、再度、新しい会員証Ｂの挿入を求める表示が行われ、新しい会員証Ｂが挿入される（ＳＴＥＰ１４）。又、挿入口９から挿入された会員証が新しい会員証Ｂである場合（Ｙｅｓ）、搬送部４によって消去ヘッド２の上を会員証Ｂが通過するように搬送され、リライトシート２０の全領域の印字内容を消去する（ＳＴＥＰ１６）。
【００３９】
そして、表示部６に不足している個人情報の入力を求める表示が成され、操作部５が操作されて個人情報が入力される（ＳＴＥＰ１７）。入力された個人情報は、磁気ストライプ１２から読み出された個人情報ととともに、メモリ７に記憶される（ＳＴＥＰ１８）。このメモリ７に記憶された個人情報が読み出されて、ＩＤが確認されると、搬送部４によって印字ヘッド３の上を会員証Ｂが通過するように搬送され、リライトシート２０の全領域に印字される（ＳＴＥＰ１９）。
【００４０】
このとき、発行日である年月日とポイント数及び累計ポイント数の初期値とが制御部８で確認されて、書込可能領域２０ａに、発行年月日及びポイント数の初期値及び累計ポイント数の初期値が年月日２１及びポイント数２２及び累計ポイント数２３として印字される。又、個人情報より確認されたＩＤに基づいて、書込不可領域２０ｂに、バーコード２４及び番号２５が印字される。
【００４１】
その後、搬送部４によって磁気ヘッド１の上を会員証Ｂが通過するように搬送され、磁気ストライプ２６ａ，２６ｂそれぞれに、個人情報及び切換情報が書き込まれる（ＳＴＥＰ２０）。このとき、会員証Ａの磁気ストライプ１２より読み出された個人情報及び操作部５によって入力された個人情報が磁気ストライプ２６ａに個人情報として書き込まれるとともに、発行年月日及びポイント数の初期値及び累計ポイント数の初期値が磁気ストライプ２６ｂに切換情報として書き込まれる。
【００４２】
そして、ＳＴＥＰ１２での磁気ストライプ２６ｂに記録された切換情報の書換動作、又は、ＳＴＥＰ２０での磁気ストライプ２６ａ，２６ｂへの個人情報及び切換情報の書込動作が終了すると、挿入口９より会員証Ｂが排出される（ＳＴＥＰ２１）。
【００４３】
尚、本実施形態において、磁気ストライプを備えた会員証の切換発行が行われるものとしたが、ＩＣチップを供えた会員証の切換発行においても利用することができる。このとき、リーダ・ライタが、磁気ストライプの読み出し及び書き込みを行う磁気ヘッドの代わりに、ＩＣチップの読み出し及び書き込みを行う無線部を備えるようにすればよい。
【００４４】
又、リライトシートを備えた会員証において、リーダ・ライタに挿入される度に、その挿入回数を１つ計数して、この計数された挿入回数を切換情報の一つとして、会員証の磁気ストライプに記録するようにしても構わない。このとき、リーダ・ライタにおいて、リライトシートを備えた会員証が挿入されて、磁気ストライプより切換情報が読み出されたとき、認識した挿入回数より、リライトシートの書換不可領域における印字内容が識別不能な状態であるか否かを判断するようにしても構わない。即ち、挿入回数が所定値を越えると、書換不可領域における印字内容が識別不能であるものとし、自動的に、書換不可領域の再印字を行う。
【００４５】
又、リーダ・ライタにおいて、切換情報が読み出されて挿入回数を認識したとき、リライトシートが書き換え可能であるか否かを、認識した挿入回数より判断しても構わない。即ち、挿入回数が所定値を越えると、リライトシートの書き換えが不可能であると判断し、挿入された会員証を排出した後、新たなリライトシートを備えた会員証の挿入を求め、排出した会員証に印字又は記録する内容を、新たな会員証のリライトシートに印字するとともに磁気ストライプに記録する。
【００４６】
更に、本実施形態において、磁気ストライプから読み出されたデータに切換情報が含まれているか否かによって、リーダ・ライタが、自動的に、リライトシートを備えた会員証であるか否かを判断し、切換情報が含まれていない場合は、会員証切換発行動作を行うようにしたが、操作部が操作されることによって、会員証切換発行動作を行うことが指示されるようにしても構わない。
【００４７】
【発明の効果】
本発明によると、リライトシートを備えた会員証用のリーダ・ライタによって、リライトシートを備えていない会員証からリライトシートを備えた会員証への切換発行を行うことができる。よって、新たに、切換発行を行うためのシステムなどを導入する必要がなくなるとともに、従来のような切換発行のために行われる煩雑な手続を省くことができ、会員証切換発行を容易に行うことができる。更に、リーダ・ライタによって簡単に会員証切換発行を行うことができるため、会員証切換発行にかかる時間を短縮することができる。
【図面の簡単な説明】
【図１】本発明のリーダ・ライタの内部構成を示す図。
【図２】図１のリーダ・ライタにおける磁気ヘッド、消去ヘッド、印字ヘッドの位置関係を示す図。
【図３】リライトシートを備えていない会員証の構成を示す図。
【図４】リライトシートを備えた会員証の構成を示す図。
【図５】図１のリーダ・ライタの動作を示すフローチャート。
【符号の説明】
１　磁気ヘッド
２　消去ヘッド
３　印字ヘッド
４　搬送部
５　操作部
６　表示部
７　メモリ
８　制御部
９　挿入口
【図１】
2004038488.tif 000003
【図２】
2004038488.tif 000004
【図３】
2004038488.tif 000005
【図４】
2004038488.tif 000006
【図５】
2004038488.tif 000007